(57)【要約】【課題】ランニングコスト及び洗い残しを低減することができる洗車機を提供することを目的とする。【解決手段】被洗浄車両ＣＡに対して前後方向に移動する洗車機本体１に被洗浄車両ＣＡの上面を洗浄するトップブラシ４及び側面を洗浄する左右一対のサイドブラシ５を設けた洗車機ＷＡにおいて、トップブラシ４のブラシ毛４ａが不織布により形成され、サイドブラシ５のブラシ毛５ａが合成樹脂発泡体により形成される。【選択図】図１
2014210449.tif 000002
【特許請求の範囲】
【請求項１】
被洗浄車両に対して前後方向に移動する洗車機本体に被洗浄車両の上面を洗浄するトップブラシ及び側面を洗浄する左右一対のサイドブラシを設けた洗車機において、
前記トップブラシのブラシ毛が不織布により形成され、前記サイドブラシのブラシ毛が合成樹脂発泡体により形成されることを特徴とする洗車機。
【請求項２】
前記トップブラシの回転速度が前記サイドブラシの回転速度よりも小さいことを特徴とする請求項１に記載の洗車機。
【発明の詳細な説明】
【技術分野】
【０００１】
本発明は、被洗浄車両を洗浄する回転ブラシを備えた洗車機に関する。
【背景技術】
【０００２】
給油所等に設置される従来の洗車機は特許文献１及び２に開示される。特許文献１に開示される洗車機は洗車機本体を備えている。洗車機本体は門型に形成され、被洗浄車両を跨いで前後方向に移動する。洗車機本体にはトップブラシ及びサイドブラシが設けられている。
【０００３】
トップブラシは水平な回転軸で回転し、被洗浄車両の上面を洗浄する。サイドブラシは略垂直な回転軸で回転し、被洗浄車両の側面を洗浄する。トップブラシ及びサイドブラシのブラシ毛は不織布により形成されている。
【０００４】
ユーザが所望の洗車条件を設定すると、洗車機本体は被洗浄車両の方へ移動する。この時、トップブラシが被洗浄車両の上面に沿って摺動し、サイドブラシが被洗浄車両の側面に沿って摺動しながら洗浄する。
【０００５】
特許文献２に開示される回転ブラシでは人工皮革を用いたブラシ毛が開示されている。
【先行技術文献】
【特許文献】
【０００６】
【特許文献１】特開平１０−２２６３２２号公報
【特許文献２】特開２００６−３０５２７０号公報
【発明の概要】
【発明が解決しようとする課題】
【０００７】
しかしながら、上記従来の洗車機によると、ブラシ毛が不織布等の布により形成されているため、合成樹脂発泡体からなるブラシ毛に比べて、一般的に耐久性が低く、細かい凹凸部分の洗浄力が低い。このため、ランニングコストが増加するとともに、被洗浄車両の表面に凹凸があると洗い残しが発生するという問題がある。一方、ブラシ毛を合成樹脂発泡体にて形成すると、車両表面に接触する際に発するブラシ打音が大きくなるという問題がある。
【０００８】
本発明は、ランニングコスト及び洗い残しを低減すると共に、ブラシ打音を低減することができる洗車機を提供することを目的とする。
【課題を解決するための手段】
【０００９】
上記目的を達成するために本発明は、被洗浄車両に対して前後方向に移動する洗車機本体に被洗浄車両の上面を洗浄するトップブラシ及び側面を洗浄する左右一対のサイドブラシを設けた洗車機において、前記トップブラシのブラシ毛が不織布により形成され、前記サイドブラシのブラシ毛が合成樹脂発泡体により形成されることを特徴とする。
【００１０】
また、本発明は上記構成の洗車機において、前記トップブラシの回転速度が前記サイドブラシの回転速度よりも小さいことを特徴とする。
【発明の効果】
【００１１】
本発明によると、サイドブラシのブラシ毛が合成樹脂発泡体により形成されため、被洗浄車両の側面に凹凸があっても洗い残しを低減することができる。また、合成樹脂発泡体は不織布よりも耐久性が高いため、ランニングコストを低減することができる。
【００１２】
また、トップブラシのブラシ毛が不織布により形成されているため、洗浄時に発生するブラシ打音が合成樹脂発泡体のブラシ毛よりも小さい。このため、被洗浄車両の上面の洗浄時にブラシ打音からの恐怖心を低減できる。
【図面の簡単な説明】
【００１３】
【図１】本発明の実施形態の洗車機を示す側面図
【図２】本発明の実施形態の洗車機を示す正面図
【図３】本発明の実施形態の洗車機のサイドブラシを示す正面図
【図４】本発明の実施形態の洗車機のトップブラシを示す正面図
【図５】本発明の実施形態の洗車機のサイドブラシの動作軌跡を示す上面図
【図６】本発明の実施形態の洗車機のサイドブラシの洗浄状態を示す正面図
【図７】本発明の実施形態の洗車機のトップブラシの動作軌跡を示す側面図
【図８】本発明の実施形態の洗車機のトップブラシの洗浄状態を示す正面図
【発明を実施するための形態】
【００１４】
以下に本発明の実施形態を図面を参照して説明する。図１、図２は本発明の一実施形態の洗車機ＷＡを示す側面図及び正面図である。洗車機ＷＡは洗車機本体１、レール２及びリモートパネル７Ａを備えている。洗車機本体１は左右の対向する２つのスタンド部９０と、スタンド部９０の上端を連結する天井部９１とを有して門型に形成される。
【００１５】
レール２は地面Ｇに左右一対設けられ、洗車機本体１の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００１６】
リモートパネル７Ａは洗車機本体１の進入経路上に配される。被洗浄車両ＣＡはリモートパネル７Ａの面前で停車し、ユーザは被洗浄車両ＣＡ内からリモートパネル７Ａの操作によって洗車条件の設定を行う。
【００１７】
リモートパネル７Ａに設けたボタンにより、シャンプー、ワックス掛け、撥水コート等に使用する液剤を用いた洗車条件を設定することができる。また、フロントガード有り、フェンダーポール有り、サイドミラー有り、リヤワイパー有り、ルーフキャリア有り等の装備品の設定もすることができる。
【００１８】
洗車機本体１の側方には洗剤やワックス等の各種液剤を貯液した複数の貯液タンク（不図示）を収納するタンク収納部５０が配される。タンク収納部５０の上方には市水及び各貯液タンクからの液剤を分配する分配配管部５１が設けられる。分配配管部５１には第１、第２浄水ノズル１１、１３、第１、第２洗剤ノズル１２、１５、撥水コートノズル１４、ワックスノズル１６がそれぞれ電磁弁を介して導出される。
【００１９】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対してシャンプーなどの洗浄液を噴射する。
【００２０】
撥水コートノズル１４及びワックスノズル１６は洗車機本体１の後面に配される。撥水コートノズル１４は被洗浄車両ＣＡに対して撥水コート剤の液剤を噴射する。ワックスノズル１６は被洗浄車両ＣＡに対してワックスを噴射する。
【００２１】
また、洗車機本体１には気流を発生して被洗浄車両ＣＡを乾燥させるブロア２０が設けられる。ブロア２０にはトップ送風ノズル２１及びサイド送風ノズル２２が接続される。トップ送風ノズル２１は洗車機本体１の上部に設けられ被洗浄車両ＣＡの上面に向けて送風する。サイド送風ノズル２２は洗車機本体１の両側部に設けられ、被洗浄車両ＣＡの側面に向けて送風する。トップ送風ノズル２１及びサイド送風ノズル２２の送風によって洗浄後の被洗浄車両ＣＡを乾燥させる。
【００２２】
洗車機本体１の前面上部、側部には車両形状センサ８、９が設けられている。車両形状センサ８、９は光電センサや超音波センサ等から成り、洗車機本体１に進入する被洗浄車両ＣＡの外面形状を検知する。これにより、各回転ブラシの初期位置や洗車機本体１の走行範囲が決められる。
【００２３】
洗車機本体１の一方のスタンド部９０の前面には操作パネル７が配される。操作パネル７はリモートパネル７Ａと同様に洗車条件を設定する操作ボタン（不図示）を備え、被洗浄車両ＣＡから降車したユーザ等の操作により洗車の受け付けや洗車条件の設定を行う。
【００２４】
洗車機本体１には被洗浄車両ＣＡ上に摺動してブラッシングする複数の回転ブラシが設けられる。回転ブラシはロッカーブラシ６、サイドブラシ５及びトップブラシ４から成る。ロッカーブラシ６及びサイドブラシ５は洗車機本体１に左右一対で設けられ、被洗浄車両ＣＡの両側面を洗浄する。
【００２５】
図３はサイドブラシ５を示す正面図である。サイドブラシ５は支持部５ｃ、ブラシ本体５ｂ及びブラシ毛５ａを有している。支持部５ｃは洗車機本体１に支持され、略垂直な回転軸Ｃで回転モータ（不図示）により回転する。ブラシ本体５ｂは支持部５ｃの先端に支持されている。ブラシ毛５ａは先端が線状の合成樹脂発泡体により形成され、ブラシ本体５ｂの端面にブラシ毛５ａの束が上下に５つ並設されている。
【００２６】
図４はトップブラシ４を示す正面図である。トップブラシ４は洗車機本体１の上部に設けられている。トップブラシ４は支持部４ｃ、ブラシ本体４ｂ及びブラシ毛４ａを有している。支持部４ｃは洗車機本体１に支持され、水平な回転軸Ｄで回転モータ（不図示）により回転する。ブラシ本体４ｂは支持部４ｃの先端に支持されている。ブラシ毛４ａは円盤状の不織布により形成され、ブラシ本体４ｂの端面に左右に並設されている。なお、合成樹脂発泡体は不織布と比べて耐久性が高い。
【００２７】
上記構成の洗車機ＷＡにおいて、ユーザが運転して被洗浄車両ＣＡをリモートパネル７Ａの面前で停車させ、所望する洗車条件の設定を被洗浄車両ＣＡ内から行う。その後、ユーザは所定の洗浄開始位置まで被洗浄車両ＣＡを移動させる。
【００２８】
図５はサイドブラシ５の軌跡を示す上面図を示し、図６はサイドブラシ５による洗浄状態を示す正面図を示す。サイドブラシ５の洗浄が開始されると、サイドブラシ５のブラシ毛５ａが被洗浄車両ＣＡの表面に当接して被洗浄車両ＣＡの前面か軌跡Ｅに示す経路で洗浄を開始する。この時のサイドブラシ５の回転数は１１０ｒｐｍ程度である。
【００２９】
被洗浄車両ＣＡの前面及び後面にはナンバープレート１００やグリル１０１が設けられ、これらによって被洗浄車両ＣＡの表面には凹凸ができる。ここで、サイドブラシ５のブラシ毛５ａの先端は線状に形成されているため、ブラシ毛５ａが被洗浄車両ＣＡに線接触する。このため、被洗浄車両ＣＡの凹凸部分にブラシ毛５ａの先端が入り、洗い残しを低減することができる。
【００３０】
その後、サイドブラシ５は被洗浄車両ＣＡの側面、後面を順に洗浄する。また、洗車機本体１の前後方向の移動を停止してサイドブラシ５によって被洗浄車両ＣＡの前面及び後面を洗浄する際、トップブラシ４の回転を停止している。
【００３１】
図７はトップブラシ４の軌跡を示す側面図であり、図８はトップブラシ４による洗浄状態を示す正面図を示す。トップブラシ４の洗浄が開始されると、トップブラシ４のブラシ毛４ａが被洗浄車両ＣＡの上面に当接して被洗浄車両ＣＡのボンネット１０２から軌跡Ｆに示す経路で洗浄を開始する。この時のトップブラシ４の回転数は９０ｒｐｍ程度である。
【００３２】
被洗浄車両ＣＡの客室の天井面を形成するルーフ１０３は客室側面のドアに比して薄い。また、客室の前後面のフロントガラス１０４及びリアガラス１０５に対してトップブラシ４が左右方向の広い範囲に同時に接触する。このため、ルーフ１０３、フロントガラス１０４及びリアガラス１０５の洗浄時に客室内に伝えられるトップブラシ４のブラシ打音が大きくなる。これにより、客室内のユーザがブラシ打音による恐怖心を抱く場合がある。
【００３３】
しかしながら、トップブラシ４のブラシ毛４ａがサイドブラシ５のブラシ毛５ａよりも軟質な不織布により形成される。また、ブラシ毛４ａは円盤状に形成されるため被洗浄車両ＣＡに面接触して広い範囲を同時に洗浄でき、トップブラシ４の回転数を低くすることができる。
【００３４】
これらによって、ブラシ毛４ａをブラシ毛５ａと同様の合成樹脂発泡体により形成する場合に比して、トップブラシ４により発生するブラシ打音を小さくすることができる。従って、客室内のユーザの恐怖心を低減することができる。この時、被洗浄車両ＣＡの上面は凹凸が少ないため、ブラシ毛４ａが傷みにくく、トップブラシ４による洗い残しも少なくすることができる。
【００３５】
各回転ブラシによる洗浄が終了すると、トップ送風ノズル２１及びサイド送風ノズル２２の送風によって被洗浄車両ＣＡを乾燥させる。
【００３６】
本実施形態によると、サイドブラシ５のブラシ毛５ａが先端が線状の合成樹脂発泡体により形成されため、被洗浄車両ＣＡの表面に凹凸があっても洗い残しを低減することができる。また、合成樹脂発泡体は不織布よりも耐久性が高いため、ランニングコストを低減することができる。
【００３７】
また、トップブラシ４のブラシ毛５ａが円盤状の不織布により形成されているため、洗浄時に発生するブラシ打音が合成樹脂発泡体のブラシ毛よりも小さい。このため、被洗浄車両ＣＡの上面の洗浄時にブラシ打音からの恐怖心を低減できる。
【００３８】
また、トップブラシ４の回転速度がサイドブラシ５の回転速度よりも小さいため、トップブラシ４によるブラシ打音をより小さくして、洗浄時のユーザの恐怖心をより低減できる。
【産業上の利用可能性】
【００３９】
本発明によると、被洗浄車両を洗浄する回転ブラシを備えた洗車機に利用することができる。
【符号の説明】
【００４０】
１    洗車機本体
２    レール
３    車輪
４    トップブラシ
４ａ  ブラシ毛
４ｂ  ブラシ本体
４ｃ  支持部
５    サイドブラシ
５ａ  ブラシ毛
５ｂ  ブラシ本体
５ｃ  支持部
６    ロッカーブラシ
７    操作パネル
７Ａ  リモートパネル
１４    撥水コートノズル
１６    ワックスノズル
２０    ブロア
２１    トップ送風ノズル
２２    サイド送風ノズル
９０    スタンド部
９１    天井部
１００  ナンバープレート
１０１  グリル
１０２  ボンネット
１０３  ルーフ
１０４  フロントガラス
１０５  リアガラス
ＷＡ    洗車機
ＣＡ    被洗浄車両
【図１】
2014210449.tif 000003
【図２】
2014210449.tif 000004
【図３】
2014210449.tif 000005
【図４】
2014210449.tif 000006
【図５】
2014210449.tif 000007
【図６】
2014210449.tif 000008
【図７】
2014210449.tif 000009
【図８】
2014210449.tif 000010